(57)【特許請求の範囲】
【請求項１】
相互に平行に配置された複数本の直管状発光源の列と、この列の両端側に平行に配置されて発光源の列からの光を両側前方に導く一対の導光体と、発光源の列および一対の導光体の後方に配置されて発光源の列および導光体からの光を直接または導光体を介して前方へ導く反射板とを備え、
一対の導光体は、発光源から離間するにつれて薄肉となる断面くさび型のくさび型部と、前面をなす発光面から発光源の列に向かって傾斜する傾斜面を有する逆くさび型部とからなり、前記発光面と、前記発光源の発光中心に対向し、かつ発光面と直角な端面と、発光面と前記端面を結び、その発光源の列からの光を表面反射により前方へ導く傾斜面と、後面とを有し、かつ、前記後面は、発光源から離間するにつれて導光体が薄肉となるように発光面に対して傾斜する傾斜面部と、発光面と平行な発光源寄りの平行面部とからなり、
前記反射板は、発光源の列に対向配置された平坦部と、この平坦部の両端に連設され、各導光体の前記後面の傾斜面部と面接触する一対の傾斜部とを有する面発光装置。
【請求項２】
発光源の列および一対の導光体の長手方向両側に配置された一対の側板をさらに備え、一対の導光体は、反射板と一対の側板とによって保持される請求項１に記載の面発光装置。
【請求項３】
発光源の列および一対の導光体の前面側に配置された光拡散板と、この光拡散板の表面に形成され高反射材料からなるドットパターンとから構成された輝度分布調整部材をさらに備えた請求項１または２に記載の面発光装置。
【請求項４】
請求項１〜３の何れか１項に記載の面発光装置と、この面発光装置の前面側に配置され、面発光装置からバックライトとしての光の照射を受ける液晶表示パネルとを備えた表示装置。
【発明の詳細な説明】
【０００１】
【発明の属する技術分野】
本発明は、面発光装置およびこれを用いた表示装置に関するものであり、特に大型の液晶表示パネルに好適に使用される面発光装置およびこれを用いた表示装置に関する。
【０００２】
【従来の技術】
従来、液晶表示パネルのバックライトなどに用いられる面発光装置としては、透明アクリル樹脂等からなる導光体を用いて面発光を行うエッジライト型と、複数本の蛍光管を液晶表示パネルの直下に規則配列させた直下型が公知である。図５は従来のエッジライト型の面発光装置を用いた液晶パネル表示装置の断面図であり、図６は従来の直下型の面発光装置を用いた液晶パネル表示装置の断面図である。なお、図５と図６において、点線は光路を表している。
【０００３】
図５に示すエッジライト型の面発光装置を用いた液晶パネル表示装置は、矩形平板形の導光体２１が中央に配置されるとともに、その周縁に複数本の蛍光管２２、２２、…が配置されて面発光装置２０が構成され、この面発光装置２０の前面側に液晶表示パネル２３が配置されたものであり、導光体２１側面から入射した光が導光体２１内で反射を繰り返して拡散し、導光体２１の発光面２１ａが面発光して液晶表示パネル２３の表示領域を照光するように構成されている。
図６に示す直下型の面発光装置を用いた液晶パネル表示装置は、反射板３２の前面側に平行に複数本の蛍光管３１、３１、…が配置されるとともに、複数本の蛍光管３１、３１、…の前方に（透明樹脂に透明粒子を分散してなる）光拡散板３３が配置されて面発光装置３０が構成され、この面発光装置３０の前面側に液晶表示パネル３４が配置されたものであり、各蛍光管３１、３１、…の光が光拡散板３３内を拡散しながら透過し面発光して液晶表示パネル２２の表示領域を照光するように構成されている。
これら従来のエッジライト型の面発光装置２０と直下型の面発光装置３０では単位面積当たりの発光効率は、エッジライト型が優れており、多くの液晶パネル表示装置に採用されている。
【０００４】
【発明が解決しようとする課題】
しかしながら、エッジライト型の面発光装置２０では、導光体２１の端面から入射した光は導光体２１内で反射を繰り返す毎に（一部の光が発光面２１ａから液晶表示パネル２３側に出射して）減衰するため、蛍光管２２から遠い発光面２１ａ中央部に至るまでに減光することとなり、大型液晶パネル表示装置に用いた場合には充分な輝度を表示面中央部に確保することが困難である。
大型液晶パネル表示装置では、上記の理由により直下型の面発光装置３０が採用されているが、充分な輝度分布を得るためには、蛍光管３１の本数を増やすか、拡散効率を促すために蛍光管３１と光拡散板３３との間隔を大きくとる必要があるため、消費電力の増大か、表示装置の奥行きが増大する結果をもたらし、「低消費電力かつ薄型」という液晶パネル表示装置の利点を損なうことになる。
【０００５】
液晶パネル表示装置の低消費電力化は、蛍光管本数を削減することが適切であり、特開平１１−２４５８１号公報によれば、光拡散板の発光面と反対側の裏面または側面に溝を設け、この溝の底面部全面または底面部全面と周壁面の一部もしくは全面に部分光透過性光反射フィルムを貼着するとともに、上記溝内に蛍光管を配置したことにより、輝度分布を平均化し、かつ蛍光管本数を削減する面発光装置（公報では平面発光体と称される）が記載されている。しかしながら、この特開平１１−２４５８１号公報の面発光装置は、光拡散板の製造が困難であるとともに、光拡散板が全面的な大きさでかつ厚いため、液晶パネル表示装置の全体重量が増大し、実用化には至っていない。
【０００６】
また、蛍光管本数を削減したものとして、特開平１１−１４９０７３号公報においては、中央部に１本の蛍光管を配置し、辺縁に向かって導光板を配置した面発光装置（公報では面光源装置と称される）が提案されている。しかしながら、この特開平１１−１４９０７３号公報の面発光装置では、画面サイズの大型化に伴って外縁部の輝度が著しく低下し、かつ導光板の重量が増大することとなる。さらに、面中央部では、「Ｈｏｔ  Ｂａｒ」と呼ばれる現象のような一部分だけ高い輝度部分が発生するようになる。また、特開平１１−１４９０７３号公報では、蛍光管と対向する面がＷ字型の凹曲面に形成された拡散部材を蛍光管の前面側に配置し、かつ上記凹曲面に反射拡散性の材料にてドットパターンを形成して、輝度ムラを解消する手段が開示されているが、拡散部材の形成およびドットパターンの形成が困難であることが推察される。
【０００７】
そこで、本発明の主要な目的の一つは、低消費電力化および軽量化を図りながら、大型液晶表示パネルに対して安定した輝度が得られる面発光装置を提供することである。
本発明の主要なもう一つの目的は、一対の導光体の発光面を同一平面上に容易に一致させることができる面発光装置を提供することである。
本発明の主要なもう一つの目的は、装置中央部とその両側部の輝度差を小さく抑えることができる面発光装置を提供することである。
本発明の主要なもう一つの目的は、発光源と導光体との間付近の輝度ムラを抑制する面発光装置を提供することである。
本発明の主要なもう一つの目的は、導光体を安定して固定できる面発光装置を提供することである。
本発明の主要なもう一つの目的は、より一層均一な輝度分布が得られる面発光装置を提供することである。
本発明の主要なもう一つの目的は、大画面表示でありながら高輝度かつ均一な輝度分布が得られる表示装置を提供することである。
【０００８】
【課題を解決するための手段】
上述の目的を達成するために、本発明に係る面発光装置は、相互に平行に配置された複数本の直管状発光源の列と、この列の両端側に平行に配置されて発光源の列からの光を両側前方に導く一対の導光体と、発光源の列および一対の導光体の後方に配置されて発光源の列および導光体からの光を直接または導光体を介して前方へ導く反射板とを備え、一対の導光体は、発光源から離間するにつれて薄肉となる断面くさび型のくさび型部と、前面をなす発光面から発光源の列に向かって傾斜する傾斜面を有する逆くさび型部とからなり、前記発光面と、前記発光源の発光中心に対向し、かつ発光面と直角な端面と、発光面と前記端面を結び、その発光源の列からの光を表面反射により前方へ導く傾斜面と、後面とを有し、かつ、前記後面は、発光源から離間するにつれて導光体が薄肉となるように発光面に対して傾斜する傾斜面部と、発光面と平行な発光源寄りの平行面部とからなり、前記反射板は、発光源の列に対向配置された平坦部と、この平坦部の両端に連設され、各導光体の前記後面の傾斜面部と面接触する一対の傾斜部とを有するものである。
【０００９】
つまり、本発明の面発光装置は、装置中央部に複数本の直管状発光源を配置し、その両側に一対の導光体を配置した上記構成によって、装置中央部に輝度を確保しつつ、その両側の導光体の前面をなす発光面全面に渡って輝度を確保することができる。このとき、断面くさび型の導光体において、その後面は、発光源から離間するにつれて発光面側に近づく傾斜面であるため、導光体に入射した発光源の光は、導光体の後面における発光源から遠い面部に直線的におよび少ない反射回数で届くことができ、それによって減光が抑えられているので、導光体の発光面における発光源から遠い外側領域の輝度の減少が抑制されている。したがって、本発明の面発光装置は、大型の液晶表示パネルのバックライトとしての使用に好適であり、大画面（液晶表示パネル）の表示領域の中央部から外縁部に渡るまで全面的に安定した輝度をもって照光することができる。また、本発明の面発光装置は、このような大画面の表示領域に対してその外縁部を一対の導光体により照光する構成とすることにより、大画面に対して安定した輝度を確保しながら発光源本数の削減と導光体の小型化を併せもつものとなり、図５で説明した従来の直下型面発光装置に比して消費電力を低減でき、図６で説明した従来のエッジライト型面発光装置、特開平１１−１４９０７３号公報、および特開平１１−１４９０７３号公報に比して軽量化を図ることができる。
【００１０】
また、本発明に係る面発光装置の反射板は、発光源の列に対向配置された平坦部と、この平坦部の両端に連設されて前記一対の導光体に対向配置された一対の傾斜部とを有し、一対の導光体は、各後面が反射板の各傾斜部に面接触しているものであるため、発光源からの直接の光および導光体を介しての光を反射板にて反射させ前方へ導いて、効率よく表示領域を照光することができるとともに、一対の各導光体の後面を反射板の各傾斜部に沿わせた状態で組立てることにより、一対の導光体の発光面を容易かつ正確に同一平面上に一致させることができ、面発光装置を簡単に組立てることができる。
【００１１】
また、本発明に係る面発光装置の発光源の列は、画面中央輝度の確保ならびに輝度むら防止を考慮して、奥行２０ｍｍの光源装置を例に取ると、発光源の配置はおよそ３０ｍｍ程度のピッチを確保する必要があり、表示画面の高さ寸法を３００ｍｍ以上と仮定した場合、発光源の列は少なくとも４〜６本の発光源からなるものが好ましく、このように構成すれば、面発光装置の発光面積を、例えば大画面テレビに必要な発光面積に確保しながら、発光源の列が配置された装置中央部における輝度と、その両端側に配置された一対の導光体の輝度を、小さい輝度差に抑えることができる。
【００１２】
また、本発明に係る面発光装置の各導光体は、前面から発光源の列に向かって傾斜し、その発光源の列からの光を表面反射により前方へ導く傾斜面を有する逆くさび型部をさらに一体に備えるので、この逆くさび型部の傾斜面表面で反射した反射光が前方へ向かい、導光体とこれに隣接する発光源との間付近の輝度ムラを効果的に抑えることができる。
【００１３】
また、本発明に係る面発光装置は、発光源の列および一対の導光体の長手方向両側に配置された一対の側板をさらに備え、一対の導光体は、反射板と一対の側板とによって保持されるものであるため、導光体を安定して固定することができるとともに、一対の側板によって反射板を補強することができる。
【００１４】
また、本発明に係る面発光装置は、発光源の列および一対の導光体の前面側に配置された光拡散板と、この光拡散板の表面に形成され高反射材料からなるドットパターンとから構成された輝度分布調整部材をさらに備えたものであるため、大画面（液晶表示パネル）の表示領域に対する輝度分布の均一化を精度よく行うことができる。つまり、輝度分布調整部材の方に向かう光は、光拡散板を透過する光と、ドットパターンを反射する光に分けられる。光拡散板を透過した光は拡散され、ドットパターンを反射した光は直接または導光体を介して反射板を反射して再び輝度分布調整部材によって光拡散板を透過する光とドットパターンを反射する光に分けられ、このような繰り返しによって光拡散板の発光面（前面）が均一な輝度分布をもって発光する。この場合、光拡散板の表面において、複数本の発光源に対向する領域の中央部はドットパターン密度が最大とされ、この中央部から一対の導光体側へ向かうにつれてドットパターン密度が徐々に小さくされることにより、光拡散板の発光面における発光源から遠い領域への光の拡散を促し、それによって光拡散板をより均一な輝度分布で面発光させるようにする。
【００１５】
また、本発明に係る表示装置は、前記面発光装置と、この面発光装置の前面側に配置され、面発光装置からバックライトとしての光の照射を受ける液晶表示パネルとを備えたものであるため、大画面の表示領域に高輝度かつ均一な輝度分布が得られる大画面テレビなどの液晶パネル表示装置に適用することができる。
【００１６】
【発明の実施の形態】
本発明において、発光源としては、冷陰極蛍光灯、熱陰極蛍光灯、ネオン灯等を用いることができる。また、導光体を構成する材料としては、アクリル樹脂、ポリカーボネート樹脂、ノルボルネン樹脂等の透明樹脂材料を用いることができる。
【００１７】
本発明において、光拡散板を構成する材料としては、アクリル樹脂、ポリスチレン樹脂、ポリカーボネート樹脂、塩化ビニル樹脂、ポリエチレンテレフタレート樹脂等の透明樹脂材料を用いることができ、このような透明樹脂材料に分散される透明粒子としては、ガラス、酸化珪素等の無機材料や、アクリル樹脂、フッ素樹脂、シリコーン樹脂、ポリスチレン樹脂、ポリエチレン樹脂、ポリカーボネート樹脂、エチレン−酢酸ビニル共重合体等の有機材料を用いることができる。また、光拡散板の表面のドットパッターンを構成する高反射材料としては、酸化チタン、酸化銀等の高反射性顔料を含む白色塗料や白色インクなどを用いることができる。
【００１８】
以下、本発明の実施の形態を、図１〜図４を参照して詳細に説明する。なお、これによって本発明が限定されるものではない。
図１は本発明の実施の形態に係る表示装置の側断面図であり、図２は同実施の形態における表示装置の分解斜視図であり、図３は同実施の形態における表示装置の要部の一部側断面であり、図４は同実施の形態における表示装置の発光状態を示す作用説明図である。なお、図１と図４において、点線は光の進路を表している。
【００１９】
本実施の形態に係る表示装置１は、面発光装置２と、この面発光装置２の前面側に配置され、面発光装置２からバックライトとしての光の照射を受ける液晶表示パネル３とを備える。
【００２０】
面発光装置２は、相互に平行に配置された上下複数本（この場合５本）の直管状発光源４、４、…の列と、この列の両端側に平行に配置されて発光源４、４、…の列からの光を両側前方に導く上下一対の導光体５、５と、発光源４、４、…の列および一対の導光体５、５の後方に配置されて発光源４、４、…の列および導光体５、５からの光を直接または導光体５、５を介して前方へ導く反射板６と、発光源４、４、…の列および一対の導光体５、５の長手方向両側に配置された左右一対の側板７、７と、発光源４、４、…の列および一対の導光体５、５の前面側に配置された輝度分布調整部材８とを備えている。
【００２１】
反射板６は、アルミなどの薄板から形成されており、発光源４、４、…の列の上下幅よりも大きい上下所定幅をもって左右方向に延びる平坦部６ａと、平坦部６ａの上端および下端に沿って連設された一対の傾斜部６ｂ、６ｂとを有し、傾斜部６ｂは平坦部６ａから遠ざかるにつれて前面側に所定角度で傾斜している。また、反射板６は、各傾斜部６ｂ、６ｂの上下端部に沿って前方へ折曲形成された段部６ｃ、６ｃと、各段部６ｃ、６ｃの前端に沿って上下方向に折曲形成されたフランジ部６ｄ、６ｄとを有する。なお、複数本の発光源４、４、…および一対の導光体５、５と対向する反射板６の前面６ｅに、アルミや銀等の金属膜を蒸着して光の反射率を高めるようにしてもよい。
【００２２】
発光源４は直管状の蛍光灯からなり、その両端にはソケット部（図示省略）が設けられている。一方、反射板６の平坦部６ａの前面６ｅの左右端側には、複数本の発光源４、４、…を上下等間隔で平行に保持するための複数個のランプホルダ（図示省略）が設けられている。各発光源４、４、…の両端のソケット部がランプホルダに取り付けられることにより、発光源４、４、…の列が反射板６の平坦部６ａの前面６ｅ近傍に平行に配置される。なお、各発光源４、４、…は図示しない電気回路に電気的に接続されて点灯、消灯する。
【００２３】
導光体５は、発光源４の有効発光長以上の左右長さを有するアクリル樹脂などから形成された透明矩形板材であり、発光源４から離間するにつれて薄肉となる断面くさび型のくさび型部５１と、前面をなす発光面５ａから発光源４、４、…の列に向かって傾斜する傾斜面５ｃを有する逆くさび型部５２とからなる。
【００２４】
さらに詳しく説明すると、導光体５は、前記発光面５ａと、この発光面５ａと直角な発光源４に対向する端面５ｂと、発光面５ａと端面５ｂとを結ぶ前記傾斜面５ｃと、発光面５ａに直角な発光源４と反対側の端面５ｄと、端面５ｂと端面５ｄとを結ぶ後面５ｅとを有する。さらに後面５ｅは、反射板６の傾斜部６ｂと同じ傾斜角度で形成されて発光面５ａに対して傾斜する傾斜面部５ｆと、発光面５ａと平行な発光源４寄りの平行面部５ｇとからなる。一対の導光体５、５は、その端面５ｄを反射板６の段部６ｃに当接させ、後面５ｅを反射板６の前面６ｅに面接触させることにより、各発光面５ａ、５ａが同一面上に配置されることとなる。この状態において、導光体５の端面５ｂは外側の発光源４に近接配置されるとともに、傾斜面５ｃは発光源４を中心とする略放射線上に配置される。
【００２５】
側板７は、反射板６と直交する側面部７ａと、側面部７ａの前端に折曲形成されて導光体５の発光面５ａと面接触する前面部７ｂと、側面部７ａの後端に折曲形成されて反射板６の後面と面接触する後面部７ｃとからなり、横断面コ字形に形成されている。また、側板７の前面部７ｂの内面には、上下一対の導光体５、５の各傾斜面５ｃ、５ｃと当接する（例えば三角形の）位置決め凸部９、９が付設されている。一対の側板７、７は、反射板６および一対の導光体５、５の左右端側に嵌合され適宜箇所がビス等にて固定される。この側板７、７の取付状態において、一対の導光体５、５は、反射板６および一対の側板７、７によって前後方向、上下方向、および左右方向への移動が規制されて所定位置に固定される。なお、各側板７、７は、反射板６と同じくアルミなどの薄板から形成されており、発光源４、４、…の列および導光体５、５から側板７、７へ向かう光を反射する反射板としても作用する。
【００２６】
輝度分布調整部材８は、アクリル樹脂などの透明樹脂材料に屈折率の異なる粒子状透明材料を分散させてなる矩形板状の光拡散板８ａと、光拡散板８ａの表面（発光源４に対向する裏面）に形成された高反射材料からなるドットパターンとから構成されている。具体的にドットパターンは、酸化チタンを含む白色塗料を材料として多数の反射ドットｄ、ｄ、…を印刷により規則配列することにより形成されている。光拡散板８ａの表面において、複数本の発光源４、４、…に対向する領域の中央部、具体的には５本の発光源４、４、…の内の中央の発光源４に対向する部位でのドットパターン密度（反射ドットｄ当たりの面積）が最も大きく設定され、この部位から両側の導光体５、５側に向かうにつれてドットパターン密度が徐々に小さくなるよう設定されている。この輝度分布調整部材８は、左右の側板７、７の前面部７ｂ、７ｂの外面および反射板６の上下フランジ部６ｄ、６ｄの前面に当接され適宜箇所がビス等により固定される。
【００２７】
ここで、面発光装置２の組立て手順の一例を簡単に説明する。先ず、反射板６の前面（寝かせた状態とした反射板６の上面）の所定位置に複数個のランプホルダを取り付け、各対のランプホルダに各発光源４の両端のソケット部を取り付ける。次に、２個の導光体５、５の端面５ｄ、５ｄを反射板６の段部６ｃ、６ｃに合わせて導光体５、５を反射板６の前面６ｅに配置する。続いて、一方の側板７を反射板６の側方から嵌合させる。これにより、側板７の前面部７ｂと後面部７ｃとの剛性により反射板６と導光体５、５が挟持されるとともに、前面部７ｂの位置決め凸部９、９により導光体５、５が位置決めされる。同様に、もう一方の側板７を反射板６の側方から嵌合させる。そして、前面側に輝度分布調整部材８を取り付けることにより、面発光装置２が組立てられる。
【００２８】
液晶表示パネル３は、液晶表示素子が格子配列された透過型の表示パネルである。この液晶表示パネル３は、その上端および下端が断面Ｌ字型の一対の取付部材１０、１１によって挟持されており、取付部材１０、１１の後方突出辺部の間に面発光装置２を嵌合させ固定することにより、面発光装置２の前面側に液晶表示パネル３が配置固定される。
【００２９】
次に、本発明の作用について説明する。各発光源４、４、…から放射された光の一部は輝度分布調整部材８へ進み、一部の光は導光体５、５へ進み、一部の光は反射板６を反射して輝度分布調整部材８あるいは導光体５、５へ進む。
【００３０】
輝度分布調整部材８へ進む光は、光拡散板８ａ内を拡散しながら透過する光と、ドットパターン（反射ドットｄ、ｄ、…）で反射する光とに分かれる。上述したように、発光源４、４、…の列に対向する領域の中央部でドットパターン密度が最大に設定され、この部位から両側の導光体５、５に向かうにつれてドットパターン密度が徐々に小さくなっているため、発光源４、４、…の列中央部における光の反射率が最も大きく、両側の導光体５、５に向かうにつれて光の反射率が徐々に小さくなっている。したがって、ドットパターンを反射した光は直接または導光体５を介して反射板６を反射して再び輝度分布調整部材８によって光拡散板８ａを透過する光とドットパターンを反射する光に分けられ、このような繰り返しによって発光源４、４、…の列からの光はその両端側の導光体５、５側へ広がり、光拡散板８ａの発光面（前面）が均一な輝度分布をもって発光する。つまり、光拡散板８ａによって光を拡散して光拡散板８ａの発光面中央部からその上下両側部にかけての輝度分布の均一化を図り、さらに光拡散板８ａに上述のドットパターン密度でドットパターンを設けることによって、光拡散板８ａの発光面中央部から出射する光量と上下両側部から出射する光量を一様に調整して輝度分布がより一層均一となるようにしている。
【００３１】
一方、導光体５の端面５ｂに入射する入射光は隣接する発光源４からの光が主であり、導光体５の傾斜面５ｃに入射する入射光は一つ離れた発光源４からの光が主であり、これら入射光の一部は、導光体５内を反射せずに透過して発光面５ａから出射し、一部の光は導光体５内で反射して発光面５ａから出射する。導光体５の発光面における発光源４から遠い面部からは、導光体５内で反射した光が主に出射する。導光体５はくさび型部５１を有し、その後面ｅの傾斜面部５ｆは発光源４から離間するにつれて発光面５ａ側に近づく傾斜面であるため、導光体５内を進む光は傾斜面部５ｆにおける発光源４から遠い面部および端面５ｄに直線的におよび少ない反射回数で容易に届くことができる。したがって、この導光体５の傾斜面部５ｆにおける発光源４から遠い面部および端面５ｄを反射して前方の発光面５ａから出射する出射光の減光が抑えられ、導光体５の発光面５ａにおける発光源４から遠い外側領域の輝度の減少が抑制されている。なお、導光体５の傾斜面部５ｆ等を透過する光は反射板６を反射して発光面５ａから出射している。また、導光体５はくさび型部５１の発光源４側（内端側）に逆くさび型部５２を有するので、発光源４、４、…の列からの一部の光が傾斜面５ｃの表面で反射して前方へ導かれ、導光体５とこれに隣接する発光源４との間付近に発生し易い輝度ムラが抑えられている。
【００３２】
このように、本発明は、装置中央部に複数本の発光源４、４、…の列を配置し、その両側に一対の導光体５、５を配置し、多数の反射ドットｄからなるドットパターンが光拡散板８ａの表面に形成されてなる輝度分布調整部材８を前面側に配置したことで、液晶表示パネル３の表示領域の中央部に輝度を確保することができるとともに、表示領域の外縁部への輝度も確保することができ、表示領域全面に渡って均一な輝度分布をもって安定的に照光することができる。したがって、本発明の面発光装置２は大型液晶パネル表示装置としての使用に好適であるとともに、大画面用の面発光装置２でありながら消費電力および重量を小さく抑えることができる。また、発光源４、導光体５、反射板６、輝度分布調整部材８等の各部品は簡素な形状構造であって製作が容易であるとともに、容易に組立てることができ、面発光装置２および表示装置１の製造が容易である。
【００３３】
（他の実施の形態）
（１）上記実施の形態では、５本の発光源４、４、…を用いた場合を例示したが、発光源４の本数はこれに限定されず、３本以上、好ましくは４〜６本とすることもできる。
（２）上記実施の形態では、複数本の発光源４、４、…の出力（輝度）を等しく設定した場合を例示したが、中央の発光源４に比して両側の発光源４、４の出力（輝度）を相対的に大きく設定し、両側の導光体５、５の発光面５ａ、５ａにおける発光源４、４から遠い面部の輝度を高めるようにすることも可能である。この場合も、液晶表示パネル３の表示領域がより均一な輝度分布となるよう輝度分布調整部材８にて調整することが好ましい。
【００３４】
【発明の効果】
本発明に係る面発光装置によれば、装置中央部に複数本の直管状発光源を配置し、その両側にくさび型部をそれぞれ有する一対の導光体を配置したので、装置中央部に輝度を確保しつつ、その両側の導光体の発光面全面に渡って輝度を確保することができる。したがって、本発明の面発光装置は、大型の液晶表示パネルのバックライトとしての使用に好適であり、大画面（液晶表示パネル）の表示領域の中央部から外縁部に渡るまで全面的に安定した輝度をもって照光することができる。また、大画面用の面発光装置でありながら消費電力および重量を小さく抑えることができるとともに、簡素な形状構造であり製造が容易である。
また、本発明に係る表示装置によれば、大画面の表示領域に高輝度かつ均一な輝度分布が得られる大画面テレビなどの液晶パネル表示装置として好適である。
【図面の簡単な説明】
【図１】本発明の実施の形態に係る表示装置の側断面図である。
【図２】同実施の形態における表示装置の分解斜視図である。
【図３】同実施の形態における表示装置の要部の一部側断面である。
【図４】同実施の形態における表示装置の発光状態を示す作用説明図である。
【図５】従来のエッジライト型の面発光装置を用いた液晶パネル表示装置の断面図である。
【図６】従来の直下型の面発光装置を用いた液晶パネル表示装置の断面図である。
【符号の説明】
２  面発光装置
３  液晶表示パネル
４  発光源
５  導光体
５ａ  前面（発光面）
５ｂ  端面
５ｃ  傾斜面
５ｅ  後面
６  反射板
６ａ  平坦部
６ｂ  傾斜部
７  側板
８  輝度分布調整部材
８ａ  光拡散板
５１  くさび型部
５２  逆くさび型部
【図１】
0003859547.tif 000002
【図２】
0003859547.tif 000003
【図３】
0003859547.tif 000004
【図４】
0003859547.tif 000005
【図５】
0003859547.tif 000006
【図６】
0003859547.tif 000007